(57)【要約】【課題】人の話し声の周波数帯域に対して、より高い吸音率を有する吸音パネルを提供する。【解決手段】吸音パネル１００は、板材２００と、吸音材３００と、吸音増強部材４００とを備えている。板材２００は、前後方向において前面２１０及び後面２２０を有している。板材２００は、前後方向と直交する直交方向において両端２６０を有している。吸音材３００は、板材２００の前面２１０又は後面２２０の少なくとも一方に貼り付けられている。吸音増強部材４００は、板材２００の前面２１０又は後面２２０の少なくとも一方に配置されている。吸音増強部材４００は、板材２００の両端２６０に配置されている。【選択図】図２
2020071412.tif 000002
【特許請求の範囲】
【請求項１】
板材と、吸音材と、吸音増強部材とを備える吸音パネルであって、
前記板材は、前後方向において前面及び後面を有しており、
前記板材は、前記前後方向と直交する直交方向において両端を有しており、
前記吸音材は、前記板材の前記前面又は前記後面の少なくとも一方に貼り付けられており、
前記吸音増強部材は、前記板材の前記前面又は前記後面の少なくとも一方に配置されており、
前記吸音増強部材は、前記板材の前記両端に配置されている
吸音パネル。
【請求項２】
請求項１記載の吸音パネルであって、
前記吸音増強部材は、前側吸音増強部と、後側吸音増強部とを含んでおり、
前記前側吸音増強部は、前記板材の前記前面に配置されており、
前記後側吸音増強部は、前記板材の前記後面に配置されており、
前記板材の前記両端は、前記前後方向において前記前側吸音増強部と前記後側吸音増強部との間に挟まれている
吸音パネル。
【請求項３】
請求項２記載の吸音パネルであって、
前記吸音パネルは、クロスを更に備えており、
前記吸音増強部材は、前記直交方向において両端を有しており、
前記直交方向において、前記吸音増強部材の前記両端は、前記板材の前記両端よりも外側に位置しており、
前記前後方向における前記前側吸音増強部と前記後側吸音増強部との間には、隙間が設けられており、
前記クロスは、前記隙間に入り込んでいる
吸音パネル。
【請求項４】
請求項３記載の吸音パネルであって、
前記吸音増強部材は、枠体を有しており、
前記枠体は、前記直交方向と平行な２つの第１枠部と、前記前後方向及び前記直交方向の双方と直交する上下方向と平行な２つの第２枠部とを有しており、
前記直交方向において、前記隙間のサイズは、前記第２枠部のサイズの１／２よりも小さい
吸音パネル。
【請求項５】
請求項４記載の吸音パネルであって、
前記吸音増強部材は、梁を更に有しており、
前記梁は、前記上下方向において前記２つの第１枠部の間に位置しており、
前記第２枠部の夫々は、連結部を有しており、
前記梁は、前記第２枠部の前記連結部同士を連結している
吸音パネル。
【発明の詳細な説明】
【技術分野】
【０００１】
本発明は、吸音パネルに関する。
【背景技術】
【０００２】
この種の吸音パネルとしては、特許文献１に開示されたものがある。詳しくは、図５に示されるように、特許文献１の吸音パネル９００は、金属薄板（板材）９１０と、吸音材９２０と、基部枠体９３０とを備えている。板材９１０は、Ｙ方向において前面９１２及び後面９１４を有している。吸音材９２０は、板材９１０の前面９１２及び後面９１４の両面に貼り付けられている。板材９１０は、Ｙ方向と直交するＸ方向において両端９１６を有している。基部枠体９３０は、前側枠部９３２と、後側枠部９３４とを含んでいる。
【先行技術文献】
【特許文献】
【０００３】
【特許文献１】実開昭５９−１１９５００号公報
【発明の概要】
【発明が解決しようとする課題】
【０００４】
このような吸音パネルにおいて、人の話し声の周波数帯域に対する吸音率をより向上させたいとの要望がある。
【０００５】
そこで、本発明は、人の話し声の周波数帯域に対して、高い吸音率を有する吸音パネルを提供することを目的とする。
【課題を解決するための手段】
【０００６】
本発明は、第１の吸音パネルとして、
板材と、吸音材と、吸音増強部材とを備える吸音パネルであって、
前記板材は、前後方向において前面及び後面を有しており、
前記板材は、前記前後方向と直交する直交方向において両端を有しており、
前記吸音材は、前記板材の前記前面又は前記後面の少なくとも一方に貼り付けられており、
前記吸音増強部材は、前記板材の前記前面又は前記後面の少なくとも一方に配置されており、
前記吸音増強部材は、前記板材の前記両端に配置されている
吸音パネルを提供する。
【０００７】
また、本発明は、第２の吸音パネルとして、第１の吸音パネルであって、
前記吸音増強部材は、前側吸音増強部と、後側吸音増強部とを含んでおり、
前記前側吸音増強部は、前記板材の前記前面に配置されており、
前記後側吸音増強部は、前記板材の前記後面に配置されており、
前記板材の前記両端は、前記前後方向において前記前側吸音増強部と前記後側吸音増強部との間に挟まれている
吸音パネルを提供する。
【０００８】
また、本発明は、第３の吸音パネルとして、第２の吸音パネルであって、
前記吸音パネルは、クロスを更に備えており、
前記吸音増強部材は、前記直交方向において両端を有しており、
前記直交方向において、前記吸音増強部材の前記両端は、前記板材の前記両端よりも外側に位置しており、
前記前後方向における前記前側吸音増強部と前記後側吸音増強部との間には、隙間が設けられており、
前記クロスは、前記隙間に入り込んでいる
吸音パネルを提供する。
【０００９】
また、本発明は、第４の吸音パネルとして、第３の吸音パネルであって、
前記吸音増強部材は、枠体を有しており、
前記枠体は、前記直交方向と平行な２つの第１枠部と、前記前後方向及び前記直交方向の双方と直交する上下方向と平行な２つの第２枠部とを有しており、
前記直交方向において、前記隙間のサイズは、前記第２枠部のサイズの１／２よりも小さい
吸音パネルを提供する。
【００１０】
また、本発明は、第５の吸音パネルとして、第４の吸音パネルであって、
前記吸音増強部材は、梁を更に有しており、
前記梁は、前記上下方向において前記２つの第１枠部の間に位置しており、
前記第２枠部の夫々は、連結部を有しており、
前記梁は、前記第２枠部の前記連結部同士を連結している
吸音パネルを提供する。
【００１１】
また、本発明は、第６の吸音パネルとして、第５の吸音パネルであって、
前記連結部は、前記上下方向において、前記第２枠部の中間位置よりも下方に位置している
吸音パネルを提供する。
【００１２】
また、本発明は、第７の吸音パネルとして、第５又は第６の吸音パネルであって、
前記上下方向において、前記梁のサイズは、前記第１枠部のサイズよりも小さい
吸音パネルを提供する。
【００１３】
また、本発明は、第８の吸音パネルとして、第１から第７までのいずれかの吸音パネルであって、
前記吸音パネルは、ナットを更に備えており、
前記ナットは、前記板材と前記吸音増強部材とを固定している
吸音パネルを提供する。
【発明の効果】
【００１４】
本発明の吸音パネルにおいて、板材は、前後方向において前面及び後面を有しており、吸音増強部材は、板材の前面又は後面の少なくとも一方に配置されている。また、本発明の吸音パネルにおいて、板材は、前後方向と直交する直交方向において両端を有しており、吸音増強部材は、板材の両端に配置されている。これにより、本発明の吸音パネルは、人の話し声の周波数帯域に対して、より高い吸音率を有している。
【図面の簡単な説明】
【００１５】
【図１】本発明の実施の形態による吸音パネルを示す前面図である。図において、クロスの一部を省略している。
【図２】図１の吸音パネルを、Ａ−Ａ線に沿って示す横断面図である。
【図３】実施例の吸音パネルの残響室法吸音率の周波数特性を示すグラフである。
【図４】比較例を吸音パネルの残響室法吸音率の周波数特性を示すグラフである。
【図５】特許文献１の吸音パネルを示す横断面図である。
【発明を実施するための形態】
【００１６】
図１及び図２に示されるように、本発明の実施の形態による吸音パネル１００は、板材２００と、吸音材３００と、吸音増強部材４００とを備えている。
【００１７】
図１及び図２を参照して、本実施の形態の板材２００は、木製であり、前後方向と直交する平板形状を有している。より詳しくは、板材２００は、ＭＤＦ（中質繊維板）からなる。板材２００は、前後方向において前面２１０及び後面２２０を有している。本実施の形態において、前後方向はＹ方向である。また、前方は＋Ｙ方向であり、後方は−Ｙ方向である。図２を参照して、板材２００は、前後方向と直交する直交方向において両端２６０を有している。本実施の形態において、直交方向はＸ方向である。
【００１８】
図１及び図２を参照して、板材２００には、直交方向に凹んだ凹部は設けられていない。また、同様に、板材２００には、前後方向及び直交方向の双方と直交する上下方向に凹んだ凹部は設けられていない。本実施の形態において、上下方向はＺ方向である。ここで、上方を＋Ｚ方向とし、下方を−Ｚ方向とする。
【００１９】
図１及び図２に示されるように、本実施の形態の吸音材３００は、ウレタンからなるものであり、前後方向と直交する略平板形状を有している。吸音材３００は、板材２００の前面２１０及び後面２２０の両面に貼り付けられている。即ち、本実施の形態の吸音パネル１００は、２枚の吸音材３００を備えている。なお、本発明はこれに限定されず、吸音材３００は、板材２００の前面２１０又は後面２２０の少なくとも一方に貼り付けられていればよい。即ち、吸音パネル１００は、１枚の吸音材３００を備えていればよい。
【００２０】
図１を参照して、本実施の形態の吸音増強部材４００は、木製である。より詳しくは、吸音増強部材４００は、ＬＶＬ（単板積層材）からなる。吸音増強部材４００は、板材２００の両端２６０に配置されている。吸音増強部材４００は、板材２００の前面２１０及び後面２２０の両面に配置されている。なお、本発明はこれに限定されず、吸音増強部材４００は、板材２００の前面２１０又は後面２２０の少なくとも一方に配置されていればよい。吸音増強部材４００は、枠体４１０を有している。
【００２１】
図１に示されるように、本実施の形態の枠体４１０は、直交方向と平行な２つの第１枠部４２０と、前後方向及び直交方向の双方と直交する上下方向と平行な２つの第２枠部４３０とを有している。第１枠部４２０の上下方向におけるサイズＳ３は、第２枠部４３０の直交方向におけるサイズＳ４よりも大きい。本実施の形態の第２枠部４３０の夫々は、連結部４３２を有している。連結部４３２は、上下方向において、第２枠部４３０の中間位置４３５よりも下方に位置している。
【００２２】
図２を参照して、本実施の形態の第２枠部４３０は、直交方向において外端４６０を有している。即ち、枠体４１０は、直交方向において両端４６０を有している。換言すれば、本実施の形態の吸音増強部材４００は、直交方向において両端４６０を有している。直交方向において、吸音増強部材４００の両端４６０は、板材２００の両端２６０よりも外側に位置している。即ち、枠体４１０の両端４６０は、板材２００の両端２６０よりも外側に位置している。枠体４１０の両端４６０は、第２枠部４３０の外端４６０でもある。第２枠部４３０と板材２００の両端２６０とは夫々対応しており、直交方向において、第２枠部４３０の外端４６０は、板材２００の両端２６０のうちの対応する端部よりも外側に位置している。
【００２３】
図１に示されるように、本実施の形態の吸音増強部材４００は、梁４４０を更に有している。
【００２４】
図１に示されるように、本実施の形態の梁４４０は、上下方向において２つの第１枠部４２０の間に位置している。上下方向において、梁４４０のサイズＳ２は、第１枠部４２０のサイズＳ３よりも小さい。梁４４０は、第２枠部４３０の連結部４３２同士を連結している。なお、梁４４０は、第１枠部４２０同士を直接連結していない。
【００２５】
図２に示されるように、本実施の形態の吸音増強部材４００は、前側吸音増強部５００と、後側吸音増強部６００とを含んでいる。なお、本発明はこれに限定されず、吸音増強部材４００は、前側吸音増強部５００及び後側吸音増強部６００の一方のみで構成されていてもよい。
【００２６】
図２に示されるように、本実施の形態の前側吸音増強部５００は、板材２００の前面２１０に配置されている。また、本実施の形態の後側吸音増強部６００は、板材２００の後面２２０に配置されている。図１及び図２を参照して、板材２００の両端２６０は、前後方向において前側吸音増強部５００と後側吸音増強部６００との間に挟まれている。前後方向における前側吸音増強部５００と後側吸音増強部６００との間には、隙間４３８が設けられている。隙間４３８は、前後方向と直交する２つの内壁４３９を有している。直交方向において、隙間４３８のサイズＳ１は、第２枠部４３０のサイズＳ４よりも小さい。より詳しくは、直交方向において、隙間４３８のサイズＳ１は、第２枠部４３０のサイズＳ４の１／２よりも小さい。板材２００の一部は、隙間４３８内において、露出している。より詳しくは、板材２００の両端２６０の一部は、隙間４３８内において、露出している。
【００２７】
図１及び図２に示されるように、より詳しくは、本実施の形態の前側吸音増強部５００は、前側枠部５１０と、前側梁部５２０とを有している。同様に、本実施の形態の後側吸音増強部６００は、後側枠部６１０と、後側梁部（図示せず）とを有している。ここで、前側枠部５１０と、後側枠部６１０とは、枠体４１０を構成している。また、前側梁部５２０と、後側梁部とは、梁４４０を構成している。前側枠部５１０は、直交方向において両端５１１を有している。同様に、後側枠部６１０は、直交方向において両端６１１を有している。即ち、枠体４１０の両端４６０は、前側枠部５１０の両端５１１と、後側枠部６１０の両端６１１とを含んでいる。両端５１１と両端６１１とは、直交方向において同じ位置に位置している。
【００２８】
図１及び図２を参照して、板材２００の両端２６０は、前後方向において前側枠部５１０と後側枠部６１０との間に挟まれている。隙間４３８は、前後方向における前側枠部５１０と後側枠部６１０との間に設けられている。
【００２９】
図１及び図２に示されるように、前側枠部５１０は、第１前側枠部５１２と、第２前側枠部５１４とを有している。同様に、図１及び図２を参照して、後側枠部６１０は、第１後側枠部（図示せず）と、第２後側枠部６１４とを有している。第１前側枠部５１２と、第１後側枠部とは、第１枠部４２０を構成している。同様に、第２前側枠部５１４と、第２後側枠部６１４とは、第２枠部４３０を構成している。前側枠部５１０の両端５１１は、第２前側枠部５１４の外端５１１でもある。同様に、後側枠部６１０の両端６１１は、第２後側枠部６１４の外端６１１でもある。
【００３０】
図１及び図２を参照して、板材２００の両端２６０は、前後方向において第２前側枠部５１４と第２後側枠部６１４との間に挟まれている。隙間４３８は、前後方向における第２前側枠部５１４と第２後側枠部６１４との間に設けられている。
【００３１】
図１及び図２を参照して、前側枠部５１０の両端５１１は、板材２００の両端２６０よりも外側に位置している。同様に、後側枠部６１０の両端６１１は、板材２００の両端２６０よりも外側に位置している。第２前側枠部５１４と板材２００の両端２６０とは夫々対応しており、直交方向において、第２前側枠部５１４の外端５１１は、板材２００の両端２６０のうちの対応する端部よりも外側に位置している。同様に、第２後側枠部６１４と板材２００の両端２６０とは夫々対応しており、直交方向において、第２後側枠部６１４の外端６１１は、板材２００の両端２６０のうちの対応する端部よりも外側に位置している。
【００３２】
図１及び図２に示されるように、本実施の形態の吸音パネル１００は、クロス７００を更に備えている。本実施の形態のクロス７００は、吸音パネル１００の表面を覆っている。より詳しくは、クロス７００は、吸音材３００の表面と、吸音増強部材４００の表面とを覆っている。クロス７００は、隙間４３８に入り込んでいる。これにより、クロス７００の一部を隙間４３８の内壁４３９に接着剤等で固定することができるため、クロス７００の端部の縫製が不要となっている。なお、上述のように、板材２００の一部は、隙間４３８内において、露出しているが、本発明はこれに限定されず、板材２００の一部が、隙間４３８内においてクロス７００に覆われていてもよい。即ち、板材２００が、隙間４３８内において露出していなくてもよい。
【００３３】
図１に示されるように、本実施の形態の吸音パネル１００は、ナット８００を更に備えている。図２を参照して、ナット８００は、金属製であり、板材２００と吸音増強部材４００とを固定している。即ち、ナット８００は、板材２００と枠体４１０とを固定している。より詳しくは、ナット８００は、前側枠部５１０の第２前側枠部５１４と、板材２００と、後側枠部６１０の第２後側枠部６１４とを、この順に固定している。ナット８００は、前後方向において、前側枠部５１０の第２前側枠部５１４を貫通している。ナット８００は、前後方向において、板材２００を貫通している。ナット８００は、前後方向において、後側枠部６１０の第２後側枠部６１４に食い込んでいる。なお、ナット８００は、前後方向において、後側枠部６１０の第２後側枠部６１４を貫通していない。本実施の形態のナット８００は、ＺＤＣ（亜鉛合金）製の鬼目ナット８００である。しかしながら、本発明はこれに限定されず、木ネジ等の他の固定具であってもよい。
【００３４】
上述のように、本実施の形態の板材２００及び吸音増強部材４００は木製である。これにより、鬼目ナット８００や木ネジ等の固定具で、板材２００及び吸音増強部材４００を同時に固定することができる。
【００３５】
次に、本発明の効果を確認するため、本実施の形態の吸音パネル１００について、ＪＩＳ Ａ１４０９に準拠した残響室法吸音率の測定を実施した。また、比較例として、吸音増強部材を備えていない以外は本実施の形態の吸音パネル１００とほぼ同様の構成を備えた吸音パネルについても、ＪＩＳ Ａ１４０９に準拠した残響室法吸音率の測定を実施した。これらの測定結果を、実施例及び比較例として図３及び図４に示す。
【００３６】
図３から、本実施の形態の吸音パネル１００については、人の話し声の周波数帯域に含まれる３１５〜５００Ｈzの１／３オクターブバンド中心周波数において、残響室法吸音率が約０．５〜約０．８と高い値を示すことが分かった。一方、図４から、比較例の吸音パネルについては、人の話し声の周波数帯域に含まれる３１５〜５００Ｈzの１／３オクターブバンド中心周波数において、残響室法吸音率が約０．３と、本実施の形態の吸音パネル１００と比較して低い値を示すことが分かった。よって、これらの測定結果から、本実施の形態の吸音パネル１００は、人の話し声の周波数帯域に対して、高い吸音率を有することが理解される。
【００３７】
以上、本発明について実施の形態を掲げて具体的に説明してきたが、本発明はこれに限定されるものではなく、種々の変形、変更が可能である。
【符号の説明】
【００３８】
１００        吸音パネル
２００        板材
２１０        前面
２２０        後面
２６０        両端
３００        吸音材
４００        吸音増強部材
４１０        枠体
４２０        第１枠部
４３０        第２枠部
４３２        連結部
４３５        中間位置
４３８        隙間
４４０        梁
４６０        両端（外端）
５００        前側吸音増強部
５１０        前側枠部
５１１        両端（外端）
５１２        第１前側枠部
５１４        第２前側枠部
５２０        前側梁部
６００        後側吸音増強部
６１０        後側枠部
６１１        両端（外端）
６１４        第２後側枠部
７００        クロス
８００        ナット
Ｓ１          サイズ
Ｓ２          サイズ
Ｓ３          サイズ
Ｓ４          サイズ
【図１】
2020071412.tif 000003
【図２】
2020071412.tif 000004
【図３】
2020071412.tif 000005
【図４】
2020071412.tif 000006
【図５】
2020071412.tif 000007